(57)【要約】【課題】簡易な構造で除菌効果を維持することができる加湿装置を提供することを目的とする。【解決手段】水槽内に設けた除菌ユニット９を有し、この除菌ユニット９はイオン化傾向の異なる２種以上の金属粒子を立体構造のフィルタ基材に添着した除菌フィルタ９Ａと、この除菌フィルタを収納するフィルタ枠１９からなり、このフィルタ枠１９を略直方体となし、少なくとも上面と全側面の５面に開口部１９Ｃを形成することにより、金属粒子として銅と亜鉛を添着した除菌フィルタ９Ａに、水槽７内の貯水を接触させて除菌機能を高めることができる。【選択図】図２
2008256301.tif 000002
【特許請求の範囲】
【請求項１】
本体に設けた吸込口と吹出口を連通し形成される空気流路と、この空気流路に設けた送風機および加湿フィルタと、この加湿フィルタに含水させるための水槽と、この水槽に給水する給水タンクと、前記水槽内に設けた除菌ユニットを有し、この除菌ユニットはイオン化傾向の異なる２種以上の金属粒子を立体構造のフィルタ基材に添着した除菌フィルタと、この除菌フィルタを収納するフィルタ枠からなり、このフィルタ枠を略直方体となし、少なくとも上面と全側面の５面に開口部を形成してなる加湿装置。
【請求項２】
加湿フィルタの一部を水槽の貯水に浸しつつ回転可能に設け、前記加湿フィルタの回転により、前記水槽の貯水を流動させて、フィルタ枠の開口部から除菌フィルタに通水可能とした請求項１記載の加湿装置。
【請求項３】
除菌フィルタに、フィルタ枠の開口部間を連通する通水路を形成してなる請求項１または請求項２記載の加湿装置。
【請求項４】
除菌フィルタは、複数の除菌フィルタ部材間に設けた隙間を介してフィルタ枠内に配置することにより、通水路を形成してなる請求項３記載の加湿装置。
【請求項５】
除菌フィルタの上面とフィルタ枠の間に通水性の保護シートを挿入してなる請求項項１記載の加湿装置。
【請求項６】
保護シートは、抗菌機能を有する金属材料で形成してなる請求項項５記載の加湿装置。
【請求項７】
フィルタ枠を合成樹脂で形成し、前記フィルタ枠の表面と水槽の内面に付着手段を設け、除菌ユニットを前記水槽に着脱可能として、除菌ユニットが浮き上がらない構成とした請求項項１記載の加湿装置。
【請求項８】
付着手段として、シート状の磁石板をフィルタ枠と水槽に設けてなる請求項７記載の加湿装置。
【請求項９】
付着手段として、一対の面ファスナーをフィルタ枠と水槽に設けてなる請求項７記載の加湿装置。
【請求項１０】
フィルタ枠の材質を鋳物製としてなる請求項項１記載の加湿装置。
【請求項１１】
本体の操作部に除菌モードを設け、この除菌モードを選択したときは、加湿運転の待機中に、加湿フィルタのみを定期的に回転して、水槽中の除菌フィルタに通水してなる請求項１記載の加湿装置。
【発明の詳細な説明】
【技術分野】
【０００１】
本発明は、簡易な構造で水中の微生物を除菌できる除菌装置を有する加湿装置に関する。
【背景技術】
【０００２】
従来、この種の加湿装置の一例として、電力を使用しないで除菌することのできる加湿装置が知られている（例えば、特許文献１参照）。
【０００３】
以下、その加湿装置について図８および図９を参照しながら説明する。
【０００４】
図に示すように、吸気口１０２から送風機１０４を経て吹出口１０３まで風路（図示せず）が形成された本体１０１内部に、水を供給する給水タンク１０５と、給水タンク１０５から供給された水を受ける水槽１０６を有している。前記風路内には加湿フィルタ１０７が水槽１０６内に下部が浸水するように配置され、水槽１０６の底部には除菌装置１０８が配置されている。
【０００５】
除菌装置１０８は、枠体１１２ａ、１１２ｂにより間隙を設けて配置される第１の電極１０９および第２の電極１１０を有しており、第１の電極１０９および第２の電極１１０は酸化還元電位の異なる異種の金属で形成されている。また第１の電極１０９および第２の電極１１０を短絡させる短絡部１１１を有し、第１の電極１０９の酸化還元電位が第２の電極１１０の酸化還元電位より高く、第１の電極１０９および第２の電極１１０を水槽１０６の貯水内に配置することにより、除菌機能が発揮されるものである。
【０００６】
この構成において、加湿運転を行なうと、送風機１０４によって、吸気口１０２から吸気される空気とともに、加湿フィルタ１０７から気化した加湿空気が、吹出口１０３から放出され、室内の加湿が行われる。このとき水槽１０６内に設けた除菌装置１０８の働きにより微生物の繁殖機能を不活化することができ、ぬめりや悪臭の発生を防止することができるものである。
【０００７】
また、重金属繊維製の不織布や小片と他の金属やカーボンを接触させることにより、流体中の雑菌を効果的に殺す殺菌具が知られている（例えば、特許文献２参照）。
【０００８】
以下、その加湿装置について図１０を参照しながら説明する。
【０００９】
この殺菌具２０１は重金属部材２０３となる重金属繊維製の織布または不織布とカーボン２０６を容器２０２内部に保持したものであり、流体が容器２０２の入口２０４から流入して重金属部材２０３に接すると、金属イオンによって殺菌されて出口２０５より取り出せるものである。
【特許文献１】特開２００４−０９３１０８号公報
【特許文献２】特開平１０−２６３０５４号公報
【発明の開示】
【発明が解決しようとする課題】
【００１０】
このような従来の加湿装置では、狭いスペース内で２枚の電極が短絡しないように間隔をあけて配置する必要があるため、除菌装置が複雑な形状になるという課題があり、簡易な構造で除菌効果を発揮することができる除菌装置を備えた加湿装置が要求されている。
【００１１】
また、特許文献２に記載のものは、定常的な水流のある配管内などで使用することで効果を発揮するものであり、水流方向が定まらない水槽内では殺菌機能を十分に発揮できないという課題があり、水流方向が定まらない水槽内でも殺菌機能を発揮できる除菌装置を備えた加湿装置が要求されている。
【００１２】
また、この場合は除菌装置に使用される不織布や多孔体は空気を含みやすく、水槽にこの除菌装置を設置した場合、除菌装置が浮き上がり加湿機能を損なうという課題があり、この対策として除菌装置を水槽に固定すると、除菌用不織布のメンテナンスが難しくなるという課題があり、水槽内で浮き上がることがなく、着脱を容易にしてメンテナンスが簡単にできる除菌装置を備えた加湿装置が要求されている。
【００１３】
本発明は、このような従来の課題を解決するものであり、簡易な構造で除菌効果を発揮することができ、水流方向が定まらない水槽内でも殺菌機能を十分に発揮することができ、水槽内で浮き上がることがなく、着脱が容易でメンテナンスが簡単にできる除菌装置を備えた加湿装置を提供することを目的としている。
【課題を解決するための手段】
【００１４】
本発明の加湿装置は上記目的を達成するために、本体に設けた吸込口と吹出口を連通し形成される空気流路と、この空気流路に設けた送風機および加湿フィルタと、この加湿フィルタに含水させるための水槽と、この水槽に給水する給水タンクと、前記水槽内に設けた除菌ユニットを有し、この除菌ユニットはイオン化傾向の異なる２種以上の金属粒子を立体構造のフィルタ基材に添着した除菌フィルタと、この除菌フィルタを収納するフィルタ枠からなり、このフィルタ枠を略直方体となし、少なくとも上面と全側面の５面に開口部を形成したものである。
【００１５】
この手段により、水槽内の定常的な水流だけでなく、非定常な貯水の動きにも対応して、フィルタ枠に設けた全ての開口部から除菌フィルタに案内することができ、イオン化傾向の異なる金属粒子を添着した除菌フィルタに、水槽内の貯水を接触させて除菌機能を高めることができる。
【００１６】
また、他の手段は、加湿フィルタの一部を水槽の貯水に浸しつつ回転可能に設け、前記加湿フィルタの回転により、前記水槽の貯水を流動させて、フィルタ枠の開口部から除菌フィルタに通水可能としたものである。
【００１７】
これにより加湿フィルタが回転することで、水槽の貯水に形成された水流がフィルタ枠の上部および側部に設けた開口部を通過して、除菌フィルタへの通水量を増やすことができ、除菌機能を向上させることができる。
【００１８】
また、他の手段は、除菌フィルタに、フィルタ枠の開口部間を連通する通水路を形成したものである。
【００１９】
これにより除菌フィルタ内を通過する水量を短時間に多く供給することができるので、除菌フィルタの除菌機能を高めることができる。
【００２０】
また、他の手段は、除菌フィルタは、複数の除菌フィルタ部材間に隙間を介してフィルタ枠内に配置することにより、通水路を形成するものである。
【００２１】
これにより除菌フィルタ部材の形状を複雑にすることなく通水路を形成でき、簡単な部品構成にして安価に製造することができる。
【００２２】
また、他の手段は、除菌フィルタの上面とフィルタ枠の間に通水性の保護シートを挿入するものである。
【００２３】
これにより保護シートが除菌フィルタの上面を覆うことにより、使用者がメンテナンスとして除菌ユニットを洗浄する時に、除菌フィルタの表面を傷つけることなく保護することができる。
【００２４】
また、他の手段として、保護シートは、抗菌機能を有する金属材料で形成するものである。
【００２５】
これにより金属製の保護シートは合成樹脂製に比べて、強度が高く断線や変形が少ないので、除菌フィルタを確実に保護することができるとともに、除菌機能をさらに増大させることができる。
【００２６】
また、他の手段は、フィルタ枠を合成樹脂で形成し、前記フィルタ枠の表面と水槽の内面に付着手段を設け、除菌ユニットを前記水槽に着脱可能として、除菌ユニットが浮き上がらない構成としたものである。
【００２７】
これにより比重が軽い除菌ユニットを水槽内で浮き上がらないように固定することができ、長期的かつ安定的に除菌効果を発揮することができる。
【００２８】
また、他の手段は、付着手段として、シート状の磁石板をフィルタ枠と水槽に設ける構成としたものである。
【００２９】
これにより除菌ユニットの厚み寸法を薄く抑えて、水槽内の制約のある狭い場所でも、除菌ユニットを省スペースで固定することができる。
【００３０】
また、他の手段は、付着手段として、一対の面ファスナーをフィルタ枠と水槽に設ける構成としたものである。
【００３１】
これにより金属製の付着手段に比べて錆びることがなく、長期的に安定して使用することができる。
【００３２】
また、他の手段は、フィルタ枠の材質を鋳物製としたものである。
【００３３】
これにより鋳物製のフィルタ枠は、重量大で強度も確保できるため、除菌ユニットを水槽内で浮き上がらないように設置することができ、長期的に安定して除菌フィルタを保護することができる。
【００３４】
また、他の手段は、本体の操作部に除菌モードを設け、この除菌モードを選択したときは、加湿運転の待機中に、加湿フィルタのみを定期的に回転して、水槽中の除菌フィルタに通水する構成としたものである。
【００３５】
これにより本体に通電している状態で、操作部の除菌モードを設定したときは、加湿運転を停止していても、滞留した貯水の除菌が促進され、除菌機能を発揮することができる。
【発明の効果】
【００３６】
本発明によれば水槽内の除菌効果を向上させつつ加湿を行うという効果のある加湿装置を提供できる。
【００３７】
また、保護シートを設けることにより、除菌機能を長期的かつ安定的に維持することができる。
【００３８】
また、フィルタ枠と水槽内面に付着手段を設けることにより、浮き上がりを防止することができ、除菌材または、加湿装置の一部を傷めることがないため、除菌機能を長期的かつ安定的に維持することができる。
【００３９】
また、操作部に除菌モードを設けることにより、加湿運転を停止しているときでも除菌機能を発揮することができる。
【発明を実施するための最良の形態】
【００４０】
本発明の請求項１記載の発明は、本体に設けた吸込口と吹出口を連通し形成される空気流路と、この空気流路に設けた送風機および加湿フィルタと、この加湿フィルタに含水させるための水槽と、この水槽に給水する給水タンクと、前記水槽内に設けた除菌ユニットを有し、この除菌ユニットはイオン化傾向の異なる２種以上の金属粒子を立体構造のフィルタ基材に添着した除菌フィルタと、この除菌フィルタを収納するフィルタ枠からなり、このフィルタ枠を略直方体となし、少なくとも上面と全側面の５面に開口部を形成するものであり、水槽内に吸水タンクから供給される定常的な水流を側面の開口部を通して除菌フィルタに案内することができ、また水槽内の非定常な貯水の動きに対応して、全ての開口部から除菌フィルタに案内することができ、金属粒子として銅と亜鉛を添着した除菌フィルタに、水槽内の貯水を接触させて除菌機能を高めることができるという作用を有する。
【００４１】
また、加湿フィルタの一部を水槽の貯水に浸しつつ回転可能に設け、前記加湿フィルタの回転により、前記水槽の貯水を流動させて、フィルタ枠の開口部から除菌フィルタに通水可能としたものであり、加湿フィルタの回転で水槽の貯水に形成された水流が、フィルタ枠の上部および側部に設けた開口部を通過して、除菌フィルタへの通水量を増やすことができ、除菌機能を向上させることができるという作用を有する。
【００４２】
また、除菌フィルタに、フィルタ枠の開口部間を連通する通水路を形成するものであり、水槽の貯水が、フィルタ枠の１つの開口部から他の開口部に、通水路を通して除菌フィルタ内を容易に通過することができ、除菌フィルタ内を通過する水量を短時間に多く供給することができるので、除菌フィルタの除菌機能を十分に発揮させることができるという作用を有する。
【００４３】
また、除菌フィルタは、複数の除菌フィルタ部材間に設けた隙間を介してフィルタ枠内に配置することにより、通水路を形成するものであり、複数の除菌フィルタ部材の隙間が通水路の役目をなす構成とすることで、除菌フィルタ部材の形状を複雑にすることがなく、また同一形状の除菌フィルタ部材を複数用いてフィルタ枠に収めることで、除菌ユニットを形成できるので、簡単な部品構成にして安価に製造することができるという作用を有する。
【００４４】
また、除菌フィルタの上面とフィルタ枠の間に通水性の保護シートを挿入するものであり、保護シートが除菌フィルタの上面を覆うことにより、使用者がメンテナンスとして除菌ユニットを洗浄する時に、除菌フィルタの表面を傷つけることなく保護することができ、除菌フィルタの除菌機能を長期的かつ安定的に発揮することができるという作用を有する。
【００４５】
また、保護シートは、抗菌機能を有する金属材料で形成するものであり、金属製の保護シートは合成樹脂製に比べて、強度が高く断線や変形が少ないので、除菌フィルタを確実に保護することができるとともに、例えば抗菌機能を有する銅線の保護シートとすることにより、貯水がフィルタ枠の開口部から除菌フィルタに至るまでに、保護シートにより殺菌機能が発揮され、また保護シートの金属材料を除菌フィルタに添着したものと同一金属とすることにより、保護シートと除菌フィルタ間で水中のイオン化による殺菌機能を発揮することができ、除菌機能をさらに増大させることができるという作用を有する。
【００４６】
また、フィルタ枠を合成樹脂で形成し、前記フィルタ枠の表面と水槽の内面に付着手段を設け、除菌ユニットを前記水槽に着脱可能として、除菌ユニットが浮き上がらない構成としたものであり、除菌ユニットは比重が軽いので、浮力が生じて水中で浮き上がりやすい構成であるが、フィルタ枠の表面と水槽の内面に付着手段を設けて、除菌ユニットを水槽に着脱可能に付着させることができ、水槽内で浮き上がらないように固定することができる。また、除菌材または、加湿装置の一部を傷めることがないので、長期的かつ安定的に除菌効果を発揮することができるという作用を有する。
【００４７】
また、付着手段として、シート状の磁石板をフィルタ枠と水槽に設ける構成としたものであり、除菌ユニットを水槽の所定場所に簡単かつ確実に固定して、水槽内での浮き上がりを防止することができる。また、厚み寸法を薄く抑えられるので、水槽内の制約のある狭い場所でも、除菌ユニットを省スペースで固定することができるという作用を有する。
【００４８】
また、付着手段として、一対の面ファスナーをフィルタ枠と水槽に設ける構成としたものであり、除菌ユニットを水槽に簡単かつ確実に固定して、水槽内での浮き上がりを防止することができる。また、金属製の付着手段に比べて、錆びることがないので、長期的に安定して使用することができるという作用を有する。
【００４９】
また、フィルタ枠の材質を鋳物製としたものであり、鋳物製のフィルタ枠は、重量大で強度も確保できるため、除菌ユニットを水槽内で浮き上がらないように設置することができ、長期的に安定して除菌フィルタを保護することができるという作用を有する。
【００５０】
また、本体の操作部に除菌モードを設け、この除菌モードを選択したときは、加湿運転の待機中に、加湿フィルタのみを定期的に回転して、水槽中の除菌フィルタに通水する構成としたものであり、本体に通電している状態で、操作部の除菌モードを設定したときは、加湿運転はされないが、数時間に一度だけ加湿フィルタを回転する駆動モータに通電されるので、水槽の貯水が流動して除菌フィルタに通水され、滞留した貯水の除菌が促進され、除菌機能を維持できるという作用を有する。
【００５１】
以下、本発明の実施の形態について図面を参照しながら説明する。
【００５２】
（実施の形態１）
図１および図２に示すように、加湿装置の本体１には、空気流路４が吸込口２と吹出口３を連通して形成されている。空気流路４に遠心送風機５を設けている。
【００５３】
本体１の空気流路４には加湿フィルタ６を配置し、この加湿フィルタ６に含水させるための水槽７と、この水槽７に一定水位に給水する給水タンク８を設けている。
【００５４】
中空円筒状の加湿フィルタ６はその回転軸６ａと、遠心送風機５の回転軸１０が水平になるように配置するとともに、回転軸６ａを回転する回転手段１１を備えている。加湿フィルタ６のフィルタ濾材は発泡ウレタン基材の表面にタルクとバインダーからなる溶液を含浸または塗布している。
【００５５】
また、水槽７の底面には、加湿フィルタ６の下方に位置して除菌ユニット９を設けている。除菌ユニット９はイオン化傾向の異なる２種以上の金属粒子を立体構造のフィルタ基材に添着した除菌フィルタ９Ａと、この除菌フィルタ９Ａを収納するフィルタ枠１９からなる。このフィルタ枠１９は上フィルタ枠１９Ａと下フィルタ枠１９Ｂを重ねたもので、略直方体の形状をなし、少なくとも上面と全側面の５面に開口部１９Ｃを形成している。なお、図２に示すように、下フィルタ枠１９Ｂの底面にも開口部１９Ｃを設けて、合計６面に設けてもよいものである。
【００５６】
除菌フィルタ９Ａは、イオン化傾向の異なる２種類以上の金属粒子を導電性の炭素材料からなるフィルタ基材に添着することにより、炭素材料と金属の間だけでなく、個々の金属間にも電位差を生じさせ、水槽７の貯水中で除菌効果を向上させるものである。
【００５７】
イオン化傾向の異なる金属としては、Ａｕ、Ｐｔ、Ａｇ、Ｃｕ、Ｐｂ、Ｎｉ、Ｓｂ、Ｃｏ、Ｗ、Ｆｅ、Ｓｎ、Ｃｒ、Ｚｎ、Ｖ、Ａｌ、Ｔｉ、Ｚｒ、Ｍｇ、Ｋまたはこれらの合金などが挙げられる。特に、Ａｇ、Ｃｕ、Ｚｎは金属自体の抗菌性が強いため好ましく、また、Ｆｅ、Ｚｎ、Ａｌは比較的安価で安全なものとして利用しやすいものである。
【００５８】
２種類以上の金属粒子を選択するときの注意点として、用途と寿命と経済性を考慮すれば特に制限されるものではないが、水の電気分解開始電圧である１．２Ｖ付近では電極から水素の発生が生じ、電極の腐食が進みやすいため好ましくない。また、金属粒子の形状としては、粉末形状が一般的であるが、微細な繊維状としてもよい。
【００５９】
上記構成において、本体１に設けた水槽７に給水タンク８から水を供給すると、一定高さまで水位が上昇して、回転可能な加湿フィルタ６の下部が水中に浸漬する。同時に除菌ユニット９は後述する付着手段により水槽７の底部に保持され、水没することとなる。
【００６０】
除菌ユニット９のフィルタ枠１９は天面および全側面に少なくとも５箇所の開口部１９Ｃを有することにより、給水タンク８から給水される定常的な水流や、加湿フィルタ６の回転や送風に伴なう水槽７内の非定常な水流により、５箇所の開口部１９Ｃから侵入して除菌フィルタ９Ａに接触する水量を増加できる構成となっている。
【００６１】
上記構成において、まず水槽７の貯水水位を一定に保つように給水タンク８より給水するときは、水槽７へと水が定常的に流動するが、フィルタ枠１９の側面に設けた開口部１９Ｃの１つを必ず通過して除菌フィルタ９Ａに案内することができることにより、水槽７の除菌機能を高めることができる。
【００６２】
次に、加湿装置を運転すると、遠心送風機５により吸込口２より室内空気が吸気され、吸気された室内空気は、加湿フィルタ６を通過することにより、加湿フィルタ６に含水した水が気化され、加湿空気となり、吹出口３より室内へ放出され、室内は加湿される。
【００６３】
さらに、遠心送風機５による空気の流動、および駆動モータ１１によって加湿フィルタ６が回転することにより、水槽７の貯水が非定常的に流動し、給水タンク８より水が供給されていない場合でも、除菌機能を高めることができる。
【００６４】
なお、本実施の形態として、遠心送風機５の吐出口に送風空気を加熱する加熱手段を付設することにより、加湿量を増やすように調整可能とする構成としてもよく、この場合は、前記加熱手段として、ニクロムヒーターなどの電気ヒーターが使用でき、他にハロゲンヒーター、カーボンヒーター、シーズヒーター、ＰＴＣヒーターなどを選択することができる。
【００６５】
（実施の形態２）
図３に示すように、除菌フィルタ９Ｂに、フィルタ枠１９の開口部１９Ｃ間を連通する通水路１２を形成している。
【００６６】
上記構成において、除菌フィルタ９Ｂに形成した通水路１２が、フィルタ枠１９の開口部１９Ｃ間を連通するようにしているので、除菌フィルタ９Ａに接触する流量または含水する流量が増加され、除菌機能を高めることができるものである。
【００６７】
ここでは、フィルタ枠１９の通水路１２を長手方向の切欠形状としているが、長手方向と直交する方向に通水路１２を設けて、他の開口部１９Ｃ間を連通するようにしてもよい。また、除菌性能を著しく低下させなければ、通水路１２の形状が網の目形状であってもよい。
【００６８】
（実施の形態３）
図４に示すように、複数の除菌フィルタ９Ｃ間にスペーサ（図示せず）を介して、フィルタ枠１９内に隙間を形成することにより、この隙間が通水路１２Ａの役目をなす構成としている。
【００６９】
上記構成において、フィルタ枠１９内に通水路１２Ａとなる隙間を形成することで、除菌フィルタ９Ｃに接触する流量または含水する流量が増加され、除菌機能を高めることができる。さらに、除菌フィルタ９Ｃの形状を複雑にすることがなく、また同一形状の除菌フィルタ９Ｃを複数用いてフィルタ枠１９に収めることで、除菌ユニット９を形成できるので、簡単な部品構成にして安価に製造することができる。
【００７０】
（実施の形態４）
図５に示すように、除菌フィルタ９Ａの上面とフィルタ枠１９の間に通水性の保護シート１３を挿入する構成としている。通水性の保護シート１３としては、通水性の薄膜状のシート、合成樹脂製の網目状シート、金属製のパンチングメタルまたは抗菌製材料の金網などが使用可能である。
【００７１】
上記構成において、通水性の保護シート１３があるため、使用者がメンテナンスとして除菌ユニット９を洗浄する時に、除菌フィルタ９Ａの表面を傷つけることなく保護することができ、除菌フィルタ９Ａの除菌機能を長期的かつ安定的に発揮することができる。
【００７２】
また、保護シート１３として抗菌機能を有する金属材料で形成することにより、合成樹脂製の保護シートと比べて、強度が高く断線や変形が少ないので、除菌フィルタ９Ａを確実に保護することができる。
【００７３】
また、抗菌機能を有する銅線でできた網状の保護シート１３とすることにより、貯水がフィルタ枠の開口部から除菌フィルタに至るまでに、保護シートによる殺菌機能を発揮することができる。さらに保護シートの金属材料を除菌フィルタに添着したものと同一金属とすることにより、保護シートと除菌フィルタ間で水中のイオン化による殺菌機能を発揮することができ、除菌機能を増大させることができる。
【００７４】
（実施の形態５）
図２および図６に示すように、除菌ユニット９は除菌フィルタ９Ａとフィルタ枠１９からなり、除菌フィルタ９Ａは比重の小さい立体構造のカーボン製フィルタ基材に少量の金属粒子を添着したものであり、前記フィルタ基材は空気を含みやすく、この空気層のために浮力が生じやすい性質を有している。またフィルタ枠１９も比重の小さい合成樹脂製材料で形成されており、取手９ａのある後端部に比べて先端部が軽くなっている。したがって、水槽７内に載置される除菌ユニット９の先端部は、水中では浮力を生じやすい構成となっている。
【００７５】
また除菌ユニット９のフィルタ枠１９先端部の裏底面と、対応する水槽７の底面には一対の付着手段１４を設け、付着手段１４により除菌ユニット９を水槽７に着脱可能として、水槽７の水位が上昇しても除菌ユニット９が浮き上がらない構成としている。
【００７６】
付着手段１４として、シート状の磁石板または面ファスナーを使用することにより、フィルタ枠１９と水槽７が容易に着脱可能となるように設けている。
【００７７】
上記構成において、フィルタ枠１９の裏底面と水槽の底面に付着手段を設けることにより、除菌ユニット９を水槽に着脱可能に付着させることができ、水槽内で浮き上がらないように固定することができる。また、除菌ユニット９または加湿フィルタ６の一部を傷めることがないので、長期的かつ安定的に除菌効果を発揮することができる。
【００７８】
また、付着手段１４として、シート状の磁石板１４ａをフィルタ枠１９と水槽７に設けることにより、除菌ユニット９を水槽７の所定場所に簡単かつ確実に固定して、水槽７内での浮き上がりを防止することができる。また、厚み寸法を薄く抑えられるので、水槽７内の制約のある狭い場所でも、除菌ユニット９を省スペースで固定することができる。
【００７９】
また、付着手段１４として、一対の面ファスナー１４ｂをフィルタ枠１９と水槽７に設けることにより、除菌ユニット９を水槽７に簡単かつ確実に固定して、水槽７内での浮き上がりを防止することができる。また、一対の面ファスナー１４ｂは金属製の付着手段１４に比べて、錆びることがないので、長期的に安定して使用することができる。
【００８０】
なお、フィルタ枠１９の材質を鋳物製とすることにより、鋳物製のフィルタ枠１９は、重量大で強度も確保できるため、除菌ユニット９を水槽７内で浮き上がらないように設置することができ、長期的に安定して除菌フィルタ９Ａを保護することができる。
【００８１】
（実施の形態６）
図７に示すように、本体１の操作部（図示せず）に除菌モードを設けている。除菌モードとは、本体１の通電状態で、かつ遠心送風機５を運転しない状態で、加湿フィルタ６を回転する駆動モータ１１に定期的に通電して、水槽７内の貯水を流動させて、除菌ユニット９内の除菌フィルタ９Ａに通水する運転モードのことである。駆動モータ１１に通電する間隔と加湿フィルタ６の回転は、１時間間隔で２〜３回としている。
【００８２】
上記構成において、本体１の通電状態で、除菌モードを設定したときは、加湿運転はされない待機状態となり、１時間間隔で定期的に駆動モータに通電され、加湿フィルタを２〜３回だけ回転する。このとき水槽７の貯水が流動して除菌フィルタ９Ａに通水し、滞留した貯水の除菌が促進され、加湿装置の除菌機能を維持することができる。
【産業上の利用可能性】
【００８３】
電力を使用せず、コンパクトかつ簡易な構造の除菌方法によって、微生物の増殖を抑制できる家庭用加湿装置、業務用加湿装置および、空気調和装置などに適用できる。
【図面の簡単な説明】
【００８４】
【図１】本発明の実施の形態１の加湿装置の正面断面図
【図２】同除菌装置の分解斜視図
【図３】本発明の実施の形態２の加湿装置の除菌フィルタの外観斜視図
【図４】本発明の実施の形態３の加湿装置の除菌フィルタの外観斜視図
【図５】本発明の実施の形態４の加湿装置の除菌装置の分解斜視図
【図６】本発明の実施の形態５の加湿装置の付着手段の分解斜視図
【図７】（ａ）本発明の実施の形態６の加湿装置の操作部の運転モード状態図、（ｂ）同、遠心送風機の動作状態を示す説明図、（ｃ）同、加湿フィルタの駆動モータの動作状態を示す説明図
【図８】従来の加湿機の断面斜視図
【図９】同除菌装置の概略図
【図１０】従来の殺菌具の断面図
【符号の説明】
【００８５】
１      本体
２      吸込口
３      吹出口
４      空気流路
５      遠心送風機
６      加湿フィルタ
７      水槽
８      給水タンク
９      除菌ユニット
９Ａ    除菌フィルタ
９Ｂ    除菌フィルタ
９Ｃ    除菌フィルタ
１２    通水路
１２Ａ  通水路
１３    保護シート
１４    付着手段
１４ａ  磁石板
１４ｂ  面ファスナー
１９    フィルタ枠
１９Ｃ  開口部
【図１】
2008256301.tif 000003
【図２】
2008256301.tif 000004
【図３】
2008256301.tif 000005
【図４】
2008256301.tif 000006
【図５】
2008256301.tif 000007
【図６】
2008256301.tif 000008
【図７】
2008256301.tif 000009
【図８】
2008256301.tif 000010
【図９】
2008256301.tif 000011
【図１０】
2008256301.tif 000012